【事件の表示】
　特願２００６−　６８５２７「四柱推命色情報表示手段」拒絶査定不服審判事件〔平成１９年　９月２７日出願公開、特開２００７−２４４４４４〕について、次のとおり審決する。
【結　論】
　本件審判の請求は、成り立たない。
【理　由】
第１　手続の経緯
　本願は、平成１８年（２００６年）３月１４日の出願（特願２００６−６８５２７号）であって、平成２１年１月１９日付けで拒絶理由が通知され、同年３月３０日付けで意見書が提出され、同日付けで手続補正がなされ、同年７月３日付けで拒絶査定がなされ、これに対して、同年１０月７日に拒絶査定不服審判の請求がなされ、同日付けで手続補正がなされたものである。
　その後、平成２２年９月１３日付けで当審から審尋をし、同年１１月１１日付けで回答書が提出されたものである。
　
第２　本願の請求項１に係る発明
　本願の請求項１に係る発明（以下、「本願発明」という。）は、平成２１年１０月７日付け手続補正により補正された特許請求の範囲の請求項１に記載された事項により特定される次のとおりのものである。
　
「占い対象者の生年月日を入力する入力部(6)と、
　該入力部(6)に連繋し入力部(6)からの入力情報によって生年、生月、生日の干支に対応する色情報を出力する色情報取得部(7)と、
  該色情報取得部(7)に連繋し占い対象者の生年、生月、生日に対応した個別所有色を表示する表示部(8)とからなり、
　　前記色情報取得部(7)は、
　　　四柱推命占いにおける六十干支の個々の干支に対応する色の情報を記憶した六十干支色分け情報(73)と、年号(31)に対応した年柱基本数(32)、年毎の月に対応した月柱基本数(33)、月毎の日に対応した日柱基本数(34)を記憶した基本数情報(75)と、年毎の節入り日を記憶した節入り情報(74)とを含む記憶部(71)、及び
　　　該記憶部(71)に連繋して記憶部(71)中の六十干支色分け情報(73)、基本数情報(75)、節入り情報(74)から前記個別所有色情報を形成する演算部(72)
　を具え、前記表示部(8)に占い対象者の個別所有色を表示することを特徴とする、四柱推命色情報表示装置。」
　
第３　引用例
１　原査定の拒絶の理由に引用され、本願の出願前に頒布された刊行物である特開平６−２３１４５号公報（以下、「引用例１」という。）には、図面とともに、次の事項が記載されている。（丸囲みの数字は括弧で囲った数字とした。また、下記「２　引用例１に記載された発明の認定」において直接引用した記載に下線を付した。）
　
「【０００１】
【産業上の利用分野】本発明はコンピュータ占い機に関し、さらに詳しくは、喫茶店などのテーブルに置かれて使用される小型卓上型のコンピュータ占い機に関する。」
　
「【００１２】
【実施例】次に、本発明に係るコンピュータ占い機の実施例を図面に基づき詳しく説明す
る。
【００１３】図１において符号１０は、本発明に係るコンピュータ占い機の一実施例である。この
コンピュータ占い機１０は、誕生日、性別、血液型などの個人データを入力するためのキーボード１２と、利用者に対する案内事項やキーボード１２から入力された個人データなどを表示する表示器１４とを備え、さらにこの内部に、入力された個人データや内部に記憶させられている占いデータに基づいて所定の演算処理などを行なうコンピュータ（３８）と、コンピュータによる演算処理の結果などを印字して出力するプリンタ（５０）とを備えている。
【００１４】このキーボード１２は、図２に示すように、数値入力キー２４と、年号入力キー２６と、性別入力キー２８と、入力確認キー３０と、入力取消キー３２とから構成され、さらにこのキーボード１２の側方には、ラッキーナンバーなどをランダムに選択するためのスタートキー３４とストップキー３６とが設けられている。ここでは、これらスタートキー３４とストップキー３６とにより任意のタイミングで操作される操作スイッチが構成されている。また、この表示器１４には、バックライト付きの大型ＬＣＤ（Liquid Crystal Display）が採用され、画面が見やすくされている。
【００１５】また図３に示すように、
コンピュータ３８は、中央処理装置４０と、「四柱推命」などに基づいた占い手順が記憶させられたプログラムメモリ４２と、「四柱推命」などに必要な占いデータが記憶させられたデータメモリ４４と、個人データなどの演算処理に必要なデータが一時的に記憶させられるワークメモリ４６と、所定数の入力出力ポート４８とから構成されている。
【００１６】次に、このコンピュータ占い機１０の作動を図４〜図７に示すフロチャートに基づき詳しく説明する。
【００１７】〔デモンストレーション〕まず、このコンピュータ占い機１０が待機状態にあるとき、表示器１４には、「あなたの運勢を占ってみませんか？」などの３種類のデモ画面が２秒ごとに切り替わって繰り返し表示される。
【００１８】〔メニュー〕ここで、コイン投入口１８からコインが投入されると、「(1)性格，(2)金運，(3)仕事，(4)恋愛，(5)今週の運勢」などのメニュー画面が表示されるとともに、「番号を入力して下さい」と表示される。
【００１９】〔誕生日の入力〕これにしたがって、数値入力キー２４から(1)〜(5)の中から１つ番号が選択されて入力されると、「生年月日は？」と表示され、さらに「年号を押して下さい」と表示される。ここで、(1)〜(5)以外のものが誤って入力されたときは、再び正しい番号を入力できるようにされている。次いで、いずれかの年号入力キー２６が押されると、「誕生年を入力して下さい」と表示される。これにしたがって、数値入力キー２４から誕生年が入力されると、次は「誕生月を入力して下さい」と表示される。ここで、数字以外のものが誤って入力されたときは、再び正しい誕生年を入力できるようにされている。そして、数値入力キー２４から誕生月が入力されると、次は「誕生日を入力して下さい」と表示される。これにしたがって、数値入力キー２４から誕生日が入力されると、これまでの入力ミスの有無を確認するため、これまでに入力された生年月日とともに、「確認して下さい」と表示される。ここで、誤った生年月日が入力されている場合には、入力取消キー３２を押せば、改めて生年月日を入力できるようにされている。
【００２０】〔性別の入力〕表示された生年月日が確認され、入力確認キー３０が押されると、次に「性別は？」と表示される。これにしたがって、いずれかの性別入力キー２８が押されると、入力ミスの有無を確認するため、「男性です」又は「女性です」と表示され、さらに「性別を確認して下さい」と表示される。
【００２１】〔血液型の入力〕表示された性別が確認され、入力確認キー３０が押されると、次に「血液型は？」と表示され、その下に「１＝Ａ型，２＝Ｂ型，３＝ＡＢ型，４＝Ｏ型」と表示される。これにしたがって、いずれかの数値入力キー２４が押されると、入力ミスの有無を確認するため、「血液型は？」と表示されたその下に、「〇〇型です」と表示される。
【００２２】〔動物・花の入力〕表示された血液型が確認され、入力確認キー３０が押されると、男性の場合は、「好きな動物は？」と表示され、その下に「１＝ぞう，２＝しか，３＝さい，４＝ねこ，５＝さる，６＝ライオン，７＝うま，８＝いぬ」と表示される。一方、女性の場合は、「好きな花は？」と表示され、その下に「１＝こすもす，２＝ひまわり，３＝しくらめん，４＝さくら，５＝かすみそう，６＝ばら，７＝あじさい，８＝かとれあ」と表示される。これらにしたがって、いずれかの数値入力キー２４が押されると、入力ミスの有無を確認するため、「好きな動物（花）は？」と表示されたその下に、「〇〇〇です」と表示される。なお、これまでに入力された生年月日、性別、血液型、好きな動物（又は花）から成る個人データは、順次ワークメモリ４６に記憶させられる。
【００２３】〔ラッキースロット〕そして、表示された好きな動物（又は花）が確認され、入力確認キー３０が押されると、ラッキースロット画面になり、「先ずスタートキーを押して下さい」と表示され、その下に「１５秒迄にストップキーを押して下さい」と表示される。これにしたがって、スタートキー３４が押され、次いで１５秒以内にストップキー３６が押されると、「ただ今鑑定中です」と表示され、その下に「鑑定書が出るまでしばらくお待ち下さい」と表示される。なお、１５秒を経過してもストップキー３６が押されないときは、自動的にストップするようにされている。
【００２４】〔データ処理〕次に、
プログラムメモリ４４に記憶させられている「四柱推命」などの占い手順にしたがって、中央処理装置４０により所定の演算処理が行なわれる。
【００２５】〔印刷〕そして、
この演算処理の結果と、ラッキーナンバー及びラッキーカラーとがプリンタ５０により印字され
【００２６】したがって、たとえばこのコンピュータ占い機１０を喫茶店などで使用する場合は、予めその日のラッキーナンバー又はラッキーカラーを特定しておき、ここで出力されたラッキーナンバー又はラッキーカラーがその特定のラッキーナンバー又はラッキーカラーと一致している場合には、何らかのサービスが受けられるようにすることができる。
【００２７】また、このコンピュータ占い機１０では、ある特定のラッキーナンバー又はラッキーカラーについては選択される確率を任意に設定し得るようにプログラムされていて、たとえば上述した喫茶店などが予め特定したラッキーナンバー又はラッキーカラーについては、利用者が最も楽しく感じるように自由に調整することができる。さらに、このコンピュータ占い機１０では、利用状況を表示した集計データがプリンタ５０により印字されて出力されるようにプログラムされている。
【００２８】以上のように、このコンピュータ占い機１０は、コンピュータ３８による演算処理を行なっているため、内容豊富な鑑定書５４が得られ、多様な占いを楽しむことができる。しかも、従来のコンピュータ占い機よりも小型であるため、喫茶店などのテーブルの上に置いて使用することができる。さらに、
占い結果５８の他に、ラッキーナンバー６０とラッキーカラー６２とが印字されて出力される
　
「【図３】（コンピュータ占い機のブロック図）
　　　　　　　　　　　　　　　　　　　　　　　　　　　　　　　」
　
「【図８】（コンピュータ占い機から出力される鑑定書の一例を示す図）
　　　　　　　　　　　　　　　　　　　　　　　　　　　」
　
　
２　引用例１に記載された発明の認定
　上記記載（図面の記載も含む）から、引用例１には、
「誕生日、性別、血液型などの個人データを入力するためのキーボード１２と、キーボード１２から入力された個人データや内部に記憶させられている占いデータに基づいて所定の演算処理などを行ない演算処理の結果をプリンタ５０に送出するコンピュータ３８と、コンピュータ３８による演算処理の結果である占い結果５８などを印字して出力するプリンタ５０とを備えたコンピュータ占い機１０であって、
　コンピュータ３８は、プログラムメモリ４４に記憶させられている「四柱推命」などの占い手順にしたがって所定の演算処理を行う中央処理装置４０と、「四柱推命」などに基づいた占い手順が記憶させられたプログラムメモリ４２と、「四柱推命」などに必要な占いデータが記憶させられたデータメモリ４４と、個人データなどの演算処理に必要なデータが一時的に記憶させられるワークメモリ４６と、所定数の入力出力ポート４８とから構成され、
　プリンタ５０により演算処理の結果である占い結果５８などを印字するコンピュータ占い機。」の発明（以下、「引用発明」という。）が記載されている。
　
第４　本願発明と引用発明の対比、及び、当審の判断
１　対比
（１）ここで、本願発明と引用発明を対比する。
　
　引用発明の「誕生日、性別、血液型などの個人データを入力するためのキーボード１２」が、本願発明の「占い対象者の生年月日を入力する入力部(6)」に相当する。
　
　引用発明の「キーボード１２から入力された個人データや内部に記憶させられている占いデータに基づいて所定の演算処理などを行ない演算処理の結果をプリンタ５０に送出するコンピュータ３８」と、本願発明の「入力部(6)に連繋し入力部(6)からの入力情報によって生年、生月、生日の干支に対応する色情報を出力する色情報取得部(7)」とは、「入力部に連繋し入力部からの入力情報によって演算処理の結果を出力する演算処理結果取得部」である点で一致する。
　
　引用発明の「コンピュータ３８による演算処理の結果である占い結果５８などを印字して出力するプリンタ５０」と、本願発明の「色情報取得部(7)に連繋し占い対象者の生年、生月、生日に対応した個別所有色を表示する表示部(8)」とは、「演算結果取得部に連繋し演算処理の結果を出力する出力部」である点で一致する。
　
　引用発明の「プリンタ５０により演算処理の結果である占い結果５８などを印字する」ことと、本願発明の「表示部(8)に占い対象者の個別所有色を表示する」こととは、「出力部に占い結果を出力する」点で一致する。
　
　引用発明の「プリンタ５０」を備えた「コンピュータ占い機１０」と、本願発明の「四柱推命色情報表示装置」とは、「四柱推命占い結果出力装置」である点で一致する。
　
（２）本願発明と引用発明の一致点
　したがって、本願発明と引用発明とは、
「占い対象者の生年月日を入力する入力部と、
　該入力部に連繋し入力部からの入力情報によって演算処理の結果を出力する演算処理結果取得部と、
  該演算結果取得部に連繋し演算処理の結果を出力する出力部とからなり、
　出力部に占い結果を出力する四柱推命占い結果出力装置。」の発明である点で一致し、次の点において相違する。
　
（３）本願発明と引用発明の相違点
ア　相違点１
　入力部からの入力情報によって取得され、出力部によって出力される演算処理の結果（情報）が、本願発明においては「生年、生月、生日の干支に対応する色情報」であり、それによって、演算処理結果取得部が、本願発明においては「色情報取得部」となっており、その構成が
「四柱推命占いにおける六十干支の個々の干支に対応する色の情報を記憶した六十干支色分け情報(73)と、年号(31)に対応した年柱基本数(32)、年毎の月に対応した月柱基本数(33)、月毎の日に対応した日柱基本数(34)を記憶した基本数情報(75)と、年毎の節入り日を記憶した節入り情報(74)とを含む記憶部(71)、及び
　該記憶部(71)に連繋して記憶部(71)中の六十干支色分け情報(73)、基本数情報(75)、節入り情報(74)から前記個別所有色情報を形成する演算部(72)
　を具え」るものであるのに対して、引用発明においては、そのような限定がない点。
　
イ　相違点２
　出力部が、本願発明においては「表示部」からなるのに対して、引用発明においては「プリンタ」からなる点。
　
２　当審の判断
（１）相違点の検討
　次に、上記相違点について検討する。
ア　相違点１について
　占いに関する表示において、占いに関連する暦等の事項を色で表示することは、例えば、特開２００３−６７０７０号公報、特開２０００−３０８７０２号公報、特開平９−３８３３６号公報にも記載されているように周知の事項である。
　そして、占いに関連する事項としての占いの結果の表示において、具体的にどのような内容を表示するかは、当業者が適宜設定し得る事項であるところ、上記の占いに関連する暦等の事項を色で表示することが周知の事項であることにかんがみ、引用発明においても、占いの結果である演算結果を「生年、生月、生日の干支に対応する色情報」として出力するとして、上記相違点１に係る本願発明の発明特定事項を得ることは、当業者が容易に想到し得たことである。
　また、引用発明の「コンピュータ３８」は、「プログラムメモリ４４に記憶させられている「四柱推命」などの占い手順にしたがって所定の演算処理を行う中央処理装置４０と、「四柱推命」などに基づいた占い手順が記憶させられたプログラムメモリ４２と、「四柱推命」などに必要な占いデータが記憶させられたデータメモリ４４と、個人データなどの演算処理に必要なデータが一時的に記憶させられるワークメモリ４６と、所定数の入力出力ポート４８とから構成された」ものであるから、本願発明の「色情報取得部」とは「四柱推命占いに関連した情報を記憶した記憶部、及び記憶部に連繋して記憶部中の四柱推命占いに関連した情報から演算処理結果を取得する演算部を具え」る点で共通するものであるところ、上記の（ａ）「記憶部」に記憶する情報、及び、（ｂ）「演算部」の演算内容の本願発明に係る具体的構成に関しては、
（ａ）「四柱推命占いにおける六十干支の個々の干支に対応する色の情報を記憶した六十干支色分け情報(73)と、年号(31)に対応した年柱基本数(32)、年毎の月に対応した月柱基本数(33)、月毎の日に対応した日柱基本数(34)を記憶した基本数情報(75)と、年毎の節入り日を記憶した節入り情報(74)」は、従来から四柱推命占いにおいて用いられていた情報であり、
（ｂ）「記憶部(71)中の六十干支色分け情報(73)、基本数情報(75)、節入り情報(74)から前記個別所有色情報を形成（取得）する」ことについても、従来から四柱推命占いにおいて行われてきたことであり、
　上記の四柱推命占いに関連した情報や占い結果を求めるために用いる情報の具体的内容の開示は、人の精神活動の一種である占いにおいて従来より用いられた情報を具体的に示したものに過ぎず、これらの情報の具体的内容自体が技術的事項（自然法則を利用した技術的思想）ではないことはいうまでもないから、上記「記憶部」及び「演算部」に係る本願発明の発明特定事項を得ること自体に、技術的な困難性が認められるものではなく、この点に発明の進歩性を認めることはできない。
　
イ　相違点２について
　結果の提示において、表示によって提示することも、印刷することによって提示することも種々の技術分野において慣用されている周知技術である。
　したがって、引用発明においても、印刷によって結果を提示する（出力する）ことに換えて、表示によって結果を提示する（出力する）として、上記相違点２に係る本願発明の発明特定事項を得ることは、当業者が容易に想到し得たことである。
　
（２）そして、本願発明によってもたらされる効果は、引用発明及び周知技術から当業者が予測し得る程度のものである。
　
（３）まとめ
　したがって、本願発明は、引用発明及び周知技術に基いて当業者が容易に発明をすることができたものである。
　
４　むすび
　以上のとおり、本願発明は、引用発明及び周知技術に基いて、当業者が容易に発明をすることができたものであるから、特許法第２９条第２項の規定により特許を受けることができない。
　
第５　結言
　以上のとおり、本願の請求項１に係る発明は、特許法第２９条第２項の規定により特許を受けることができないから、その余の請求項に係る発明について論及するまでもなく、本願は拒絶すべきものである。
　
　よって、結論のとおり審決する。